(57)【特許請求の範囲】
【請求項１】
入金及び出金の要求を受け付けて入出金処理を行う入出金機本体と、該入出金機本体に対して通信可能に隣接配置された、予め現金を収納する現金収納装置と、を備える入出金機であって、
前記入出金機本体は、
出金する現金の金種及び量を受け付ける受付部と、
出金可能な現金を収納する第１の収納部と、
前記第１の収納部に収納された現金を用いて、前記受け付けた現金の金種及び量の出金を制御すると共に、前記現金収納装置を管理する第１の制御部とを備え、
前記現金収納装置は、
現金を収納する第２の収納部と、
前記第２の収納部に対する現金の出し入れのための扉機構と、
前記第１の制御部から受信した制御信号に基づいて、前記扉機構の開錠及び施錠を制御する第２の制御部とを備えるが、前記受付部及び前記第１の制御部と同等の機能を備えておらず、
前記入出金機本体の前記第１の制御部は、前記第１の収納部からの前記受け付けた現金の金種及び量の出金に不足が生じる場合、前記現金収納装置から不足分の金種及び量の出金が可能となるよう、前記現金収納装置の前記扉機構の開錠を指示する制御信号を前記第２の制御部へ送信する、ことを特徴とする入出金機。
【請求項２】
前記第１の制御部は、前記出金に不足が生じる場合、前記受け付けた現金の金種及び量のうち、前記不足分の金種及び量以外の金種及び量は、前記第１の収納部に収納されている現金を用いて出金させることを特徴とする請求項１に記載の入出金機。
【請求項３】
前記入出金機本体は、情報を表示する表示部を更に備え、前記第１の制御部は、前記出金に不足が生じる場合、前記不足分の金種及び量を前記現金収納装置から取り出させるための指示を、前記表示部に表示させることを特徴とする請求項１又は２に記載の入出金機。
【請求項４】
前記入出金機本体は、前記現金収納装置の在高の情報を格納する現金収納装置在高格納部を更に備え、
前記第１の制御部は、前記現金収納装置在高格納部に格納された前記在高の情報の更新を行うことを特徴とする請求項１から３のいずれか１つに記載の入出金機。
【請求項５】
前記現金収納装置の前記第２の収納部に現金が装填された場合には、
前記第１の制御部は、前記現金収納装置在高格納部の前記在高に、前記装填された現金分を加算して前記在高の情報を更新し、
前記現金収納装置の前記第２の収納部から現金が取り出された場合には、
前記第１の制御部は、前記現金収納装置在高格納部の前記在高から、前記取り出された現金分を減算して前記在高の情報を更新することを特徴とする請求項４に記載の入出金機。
【請求項６】
前記第１の制御部は、前記現金収納装置在高格納部に格納された在高に基づき、前記現金収納装置の前記第２の収納部に収納された金種及び量が、本来前記現金収納装置に収納されてあるべき金種及び量であるかを確認する精査処理を行うことを特徴する請求項４又は５に記載の入出金機。
【請求項７】
前記精査処理は、
前記現金収納装置の前記第２の収納部に収納された現金を金種ごとに計数し、計数された金種ごとの値と、前記現金収納装置在高格納部に格納された在高の金種ごとの値とがそれぞれ同一か否かを判断し、
前記同一である場合には、前記現金収納装置の前記第２の収納部に収納された金種及び量が、本来前記現金収納装置に収納されてあるべき金種及び量に等しい正常状態であることを通知し、
前記同一でない場合には、前記現金収納装置の前記第２の収納部に収納された金種及び量が、本来前記現金収納装置に収納されてあるべき金種及び量に等しくない違算状態であることを通知する処理であることを特徴とする請求項６に記載の入出金機。
【請求項８】
入金及び出金の要求を受け付けて入出金処理を行う入出金機本体と、該入出金機本体に対して通信可能に隣接配置された、予め現金を収納する現金収納装置とを備える入出金機による出金制御方法であって、
前記入出金機本体が、出金する現金の金種及び量を受け付けるステップと、
前記入出金機本体が、出金可能な現金を収納する収納部に収納された現金を用いて、前記受け付けた現金の金種及び量の出金を制御するステップと、
前記入出金機本体が、前記収納部からの前記受け付けた現金の金種及び量の出金に不足が生じる場合、前記現金収納装置の収納部に対する現金の出し入れのための扉機構の開錠を指示する制御信号を前記現金収納装置へ送信するステップと、
前記現金収納装置が、前記入出金機本体から送信された前記開錠を指示する制御信号に応じて前記扉機構を開錠し、前記現金収納装置から不足分の金種及び量の出金を可能にするステップと、
を有し、
前記現金収納装置は、前記入出金機本体が行う、出金する現金の金種及び量を受け付けるステップと同等の処理、及び、前記受け付けた現金の金種及び量の出金を制御するステップと同等の処理を行わない、ことを特徴とする入出金機による出金制御方法。
【請求項９】
入金及び出金の要求を受け付けて入出金処理を行う入出金機本体と、該入出金機本体に対して通信可能に隣接配置された、予め現金を収納する現金収納装置と、を備える入出金機であって、
前記入出金機本体は、
出金する現金の金種及び量を受け付ける受付部と、
出金可能な現金を収納する収納部と、
前記収納部に収納された現金を用いて、前記受け付けた現金の金種及び量の出金を制御すると共に、前記現金収納装置を管理する制御部と、
前記現金収納装置の在高の情報を格納する現金収納装置在高格納部とを備え、
前記制御部は、前記収納部からの前記受け付けた現金の金種及び量の出金に不足が生じる場合、前記現金収納装置に対して、前記現金収納装置から不足分の金種及び量の出金を可能とさせるための指示を行い、
前記制御部は、前記現金収納装置に収納された現金を金種ごとに計数し、計数された金種ごとの値と、前記現金収納装置在高格納部に格納された在高の金種ごとの値とがそれぞれ同一か否かを判断し、同一であると判断した場合には、前記現金収納装置に収納された金種及び量が、本来前記現金収納装置に収納されてあるべき金種及び量に等しい正常状態であることを通知し、一方、同一でないと判断した場合には、前記現金収納装置に収納された金種及び量が、本来前記現金収納装置に収納されてあるべき金種及び量に等しくない違算状態であることを通知する、ことを特徴とする入出金機。
【請求項１０】
入金及び出金の要求を受け付けて入出金処理を行う入出金機本体と、該入出金機本体に対して通信可能に隣接配置された、予め現金を収納する現金収納装置とを備える入出金機による出金制御方法であって、
出金する現金の金種及び量を受け付けるステップと、
出金可能な現金を収納する収納部に収納された現金を用いて、前記受け付けた現金の金種及び量の出金を制御すると共に、前記現金収納装置を管理し、前記収納部からの前記受け付けた現金の金種及び量の出金に不足が生じる場合、前記現金収納装置に対して、前記現金収納装置から不足分の金種及び量の出金を可能とさせるための指示を行うステップと、
前記現金収納装置の在高の情報を現金収納装置在高格納部に格納するステップと、
前記現金収納装置に収納された現金を金種ごとに計数し、計数された金種ごとの値と、前記現金収納装置在高格納部に格納された在高の金種ごとの値とがそれぞれ同一か否かを判断し、同一であると判断した場合には、前記現金収納装置に収納された金種及び量が、本来前記現金収納装置に収納されてあるべき金種及び量に等しい正常状態であることを通知し、一方、同一でないと判断した場合には、前記現金収納装置に収納された金種及び量が、本来前記現金収納装置に収納されてあるべき金種及び量に等しくない違算状態であることを通知するステップと、
を有することを特徴とする入出金機による出金制御方法。
【発明の詳細な説明】
【技術分野】
【０００１】
本発明は、小売店などの店舗に設置される入出金機に関する。
【背景技術】
【０００２】
近年、小売店などの店舗の売り場には、ＰＯＳ（Point Of Sales）システムが導入され、ＰＯＳシステムを用いて、店舗で商品を販売するごとに商品の販売情報を記録し、集計結果を管理する店舗が増えている。そのような店舗の中には、店舗の売り場以外の場所（例えば、バックヤード）に入出金機を設置する店舗も多い。この入出金機は、例えば、ＰＯＳシステムによる売上金の入金を受け付けたり、ＰＯＳ端末（ＰＯＳ釣銭釣札機）における釣銭不足の場合に備えて入出金機内に収納された現金を、出金要求に基づいて出金したりするものである（特許文献１を参照）。
【０００３】
このような入出金機を設置することによって、ＰＯＳ端末における釣銭不足の場合には、入出金機に収納してある現金を釣銭として出金することができるため、釣銭不足になって買い物客に迷惑を掛けるなどの問題を防ぐことができる。
【先行技術文献】
【特許文献】
【０００４】
【特許文献１】特開２００２−３１２８３３号公報
【発明の概要】
【発明が解決しようとする課題】
【０００５】
しかし、ＰＯＳ端末が多く設置された店舗や、ある金種を釣銭として多く使用する店舗などでは、ＰＯＳ端末で釣銭が底をつくことも多くあり、１台の入出金機のみでは釣銭不足を補うことができない。このような問題に対して、入出金機を複数台設置することが検討されるが、入出金機を複数台設置する場合には、多くのコストやメンテナンスが必要となり、入出金機を複数台設置することは、多大な負担が店舗に掛かることになる。
【０００６】
本発明は、上記課題に鑑み、入出金機を増設することによる多大な負担を掛けることなく釣銭不足を補うことができる入出金機を提供することを目的とする。
【課題を解決するための手段】
【０００７】
上記目的を達成するために、本発明の入出金機は、入金及び出金の要求を受け付けて入出金処理を行う入出金機本体と、該入出金機本体に対して通信可能に隣接配置された、予め現金を収納する現金収納装置と、を備える入出金機であって、前記入出金機本体は、出金する現金の金種及び量を受け付ける受付部と、出金可能な現金を収納する第１の収納部と、前記第１の収納部に収納された現金を用いて、前記受け付けた現金の金種及び量の出金を制御すると共に、前記現金収納装置を管理する第１の制御部とを備え、前記現金収納装置は、現金を収納する第２の収納部と、前記第２の収納部に対する現金の出し入れのための扉機構と、前記第１の制御部から受信した制御信号に基づいて、前記扉機構の開錠及び施錠を制御する第２の制御部とを備えるが、前記受付部及び前記第１の制御部と同等の機能を備えておらず、前記入出金機本体の前記第１の制御部は、前記第１の収納部からの前記受け付けた現金の金種及び量の出金に不足が生じる場合、前記現金収納装置から不足分の金種及び量の出金が可能となるよう、前記現金収納装置の前記扉機構の開錠を指示する制御信号を前記第２の制御部へ送信する。ここで、入出金機本体は、後述する入出金機１０に相当し、現金収納装置は、後述する現金収納装置２６に相当する。また、受付部は、後述する表示部／操作部１９に相当し、第１の収納部は、後述する硬貨・収納部１２及び紙幣・収納部１６に相当し、第１の制御部は、後述する主制御部２０に相当するものである。更に、第２の収納部は、後述する紙幣収納部２８及び硬貨収納部２９に相当し、扉機構は、後述する扉機構３１に相当し、第２の制御部は、後述する入出金機制御信号制御部３０に相当するものである。
【０００９】
また、本発明の入出金機は、前記第１の制御部が、前記出金に不足が生じる場合、前記受け付けた現金の金種及び量のうち、前記不足分の金種及び量以外の金種及び量は、前記第１の収納部に収納されている現金を用いて出金させることが好ましい。
【００１０】
また、本発明の入出金機は、前記入出金機本体が、情報を表示する表示部を更に備え、前記第１の制御部が、前記出金に不足が生じる場合、前記不足分の金種及び量を前記現金収納装置から取り出させるための指示（誘導指示）を、前記表示部に表示させることが好ましい。
【００１１】
また、本発明の入出金機は、前記入出金機本体が、前記現金収納装置の在高の情報を格納する現金収納装置在高格納部を更に備え、前記第１の制御部が、前記現金収納装置在高格納部に格納された前記在高の情報の更新を行うことが好ましい。ここで、現金収納装置在高格納部は、後述する現金収納装置管理メモリ２４に相当するものである。
【００１２】
また、本発明の入出金機は、前記現金収納装置の前記第２の収納部に現金が装填された場合には、前記第１の制御部が、前記現金収納装置在高格納部の前記在高に、前記装填された現金分を加算して前記在高の情報を更新し、前記現金収納装置の前記第２の収納部から現金が取り出された場合には、前記第１の制御部が、前記現金収納装置在高格納部の前記在高から、前記取り出された現金分を減算して前記在高の情報を更新することが好ましい。
【００１３】
また、本発明の入出金機は、前記第１の制御部が、前記現金収納装置在高格納部に格納された在高に基づき、前記現金収納装置の前記第２の収納部に収納された金種及び量が、本来前記現金収納装置に収納されてあるべき金種及び量であるかを確認する精査処理を行うことが好ましい。
い。
【００１４】
また、本発明の入出金機は、前記精査処理が、前記現金収納装置の前記第２の収納部に収納された現金を金種ごとに計数し、計数された金種ごとの値と、前記現金収納装置在高格納部に格納された在高の金種ごとの値とがそれぞれ同一か否かを判断し、前記同一である場合には、前記現金収納装置の前記第２の収納部に収納された金種及び量が、本来前記現金収納装置に収納されてあるべき金種及び量に等しい正常状態であることを通知し、前記同一でない場合には、前記現金収納装置の前記第２の収納部に収納された金種及び量が、本来前記現金収納装置に収納されてあるべき金種及び量に等しくない違算状態であることを通知する処理であることが好ましい。
【００１５】
また、本発明の入出金機による出金制御方法は、入金及び出金の要求を受け付けて入出金処理を行う入出金機本体と、該入出金機本体に対して通信可能に隣接配置された、予め現金を収納する現金収納装置とを備える入出金機による出金制御方法であって、前記入出金機本体が、出金する現金の金種及び量を受け付けるステップと、前記入出金機本体が、出金可能な現金を収納する収納部に収納された現金を用いて、前記受け付けた現金の金種及び量の出金を制御するステップと、前記入出金機本体が、前記収納部からの前記受け付けた現金の金種及び量の出金に不足が生じる場合、前記現金収納装置の収納部に対する現金の出し入れのための扉機構の開錠を指示する制御信号を前記現金収納装置へ送信するステップと、前記現金収納装置が、前記入出金機本体から送信された前記開錠を指示する制御信号に応じて前記扉機構を開錠し、前記現金収納装置から不足分の金種及び量の出金を可能にするステップと、を有し、前記現金収納装置は、前記入出金機本体が行う、出金する現金の金種及び量を受け付けるステップと同等の処理、及び、前記受け付けた現金の金種及び量の出金を制御するステップと同等の処理を行わない。
【発明の効果】
【００１６】
本発明によれば、入出金機を増設することによる多大な負担を掛けることなく釣銭不足を補うことができる。
【図面の簡単な説明】
【００１７】
【図１】入出金機の機能ブロック構成の一例を示す図である。
【図２】現金収納装置の機能ブロック構成の一例を示す図である。
【図３】入出金機のハードウェア構成の一例を示す図である。
【図４】入出金機の初期化処理の一例を説明するためのフローチャートである。
【図５】入出金機の現金装填処理の一例を説明するためのフローチャートである。
【図６】入出金機の出金処理の一例を説明するためのフローチャートである。
【図７Ａ】入出金機の現金収納装置精査処理の一例を説明するためのフローチャートである。
【図７Ｂ】入出金機の現金収納装置精査処理の一例を説明するためのフローチャートである。
【図８Ａ】入出金機における現金収納装置精査処理の際の違算状態表示画面の一例を示す図である。
【図８Ｂ】入出金機における現金収納装置精査処理の際の取引履歴表示画面の一例を示す図である。
【図８Ｃ】入出金機における現金収納装置精査処理の際の取引履歴詳細表示画面の一例を示す図である。
【発明を実施するための形態】
【００１８】
以下、実施の形態について図面を参照して説明する。図１は、実施の形態に係る入出金機の機能ブロック構成の一例を示す図である。図１に示すように、入出金機（入出金機本体）１０は、硬貨・入金部１１、硬貨・収納部１２、硬貨リジェクト収納部１３、硬貨・出金部１４、紙幣・入金部１５、紙幣・収納部１６、紙幣リジェクト収納部１７、紙幣・出金部１８、表示部／操作部１９、主制御部２０から構成されている。入出金機１０には現金収納装置２６が付属され、現金収納装置２６は、例えば、入出金機１０の横に配置され、入出金機１０とケーブルによって接続される。
【００１９】
硬貨・入金部１１は、例えば、売り場における売上金の硬貨や、後述する現金収納装置精査処理において計数される現金収納装置２６に収納された硬貨を不図示の硬貨投入口から受け付け、受け付けた硬貨を計数するものであって、硬貨計数機能を有する。硬貨・収納部１２は、硬貨・入金部１１で計数された硬貨を収納するものである。硬貨リジェクト収納部１３は、出金の際に不図示の鑑別部で判定され、鑑別できない硬貨（例えば、真偽のつかない硬貨や破損した硬貨など）を保管しておくものである。硬貨・出金部１４は、例えば、売り場での釣銭不足による釣銭補充のための要求や、相違する金種の両替（例えば、５００円硬貨を１００円硬貨５枚にする両替）の要求を、表示部／操作部１９を介して受け付け、それに基づいて出金するべき硬貨を計数し、計数された硬貨を不図示の硬貨排出口から出金するものであって、硬貨計数機能を有する。
【００２０】
紙幣・入金部１５は、例えば、売り場における売上金の紙幣や、後述する現金収納装置精査処理において計数される現金収納装置２６に収納された紙幣を不図示の紙幣投入口から受け付け、受け付けた紙幣を計数するものであって、紙幣計数機能を有する。紙幣・収納部１６は、紙幣・入金部１５で計数された紙幣を収納するものである。紙幣リジェクト収納部１７は、出金の際に不図示の鑑別部で判定され、鑑別できない紙幣（例えば、真偽のつかない紙幣や破損した紙幣など）を保管しておくものである。紙幣・出金部１８は、例えば、売り場での釣銭不足による釣銭補充のための要求や、相違する金種の両替（例えば、５、０００円紙幣を１、０００円紙幣５枚にする両替）の要求を、表示部／操作部１９を介して受け付け、それに基づいて出金するべき紙幣を計数し、計数された紙幣を紙幣排出口から出金するものであって、紙幣計数機能を有する。
【００２１】
表示部／操作部１９は、例えば、タッチパネル機能を有するディスプレイなどであって、入出金機１０の操作の案内表示や、上述した硬貨、紙幣を入出金する際の案内表示など、入出金機１０の一般的な利用の際に表示されるべき表示をするとともに、後述する現金収納装置２６の開錠指示や施錠指示の表示もするものである。また、表示部／操作部１９は、情報の表示をするのみでなく、入出金の要求の受付や、後述するモードの選択などにも使用され、タッチパネルを介してオペレータの入力を受け付けるものである。なお、表示部／操作部１９は、上述した表示や選択の受付だけでなく、それら以外の表示や選択の受付をするようにしてもよい。
【００２２】
主制御部２０は、基本的に入出金機１０の動作の制御を担うものである。主制御部２０は、硬貨在高管理メモリ２１、紙幣在高管理メモリ２２、上位機通信部２３、現金収納装置管理メモリ２４、現金収納装置制御部２５それぞれが機能するように制御するものである。
【００２３】
硬貨在高管理メモリ２１は、硬貨・収納部１２に収納されている硬貨の在高の情報（例えば、金種ごとの硬貨の量）を記憶するものである。
【００２４】
紙幣在高管理メモリ２２は、紙幣・収納部１６に収納されている紙幣の在高の情報（例えば、金種ごとの紙幣の量）を記憶するものである。また、紙幣在高管理メモリ２２は、紙幣リジェクト収納部１７に収納されている紙幣の在高の情報も記憶するものである。
【００２５】
上位機通信部２３は、上位機２７（例えば、入出金機１０が複数台設置されている場合に、それらの入出金機の情報を一括管理する現金管理サーバ）と情報のやり取りを行うものである。ただし、以下で説明する現金収納装置２６への制御においては、上位機通信部２３が上位機２７と通信することはなく、これ以上の上位機通信部２３についての説明は省略する。
【００２６】
現金収納装置管理メモリ２４は、現金収納装置２６に収納されている硬貨及び紙幣の金種ごとの在高の情報を記憶するものである。現金収納装置制御部２５は、現金収納装置２６の不図示の扉の開錠指示や施錠指示を現金収納装置２６に行ったり、現金収納装置２６の扉の開閉状態の通知を現金収納装置２６から受信したりするものである。
【００２７】
次に、現金収納装置２６について図２を用いて説明する。図２に示すように、現金収納装置２６は、紙幣収納部２８、硬貨収納部２９、入出金機制御信号制御部３０、扉機構３１を備える。
【００２８】
紙幣収納部２８は、後述する現金装填のモードが表示部／操作部１９を介してオペレータによって選択され、現金が現金収納装置２６に装填された場合の紙幣を収納するものである。硬貨収納部２９は、後述する現金装填モードが表示部／操作部１９を介してオペレータによって選択され、現金が現金収納装置２６に装填された場合の硬貨を収納するものである。
【００２９】
入出金機制御信号制御部３０は、現金収納装置２６の扉の開錠指示や施錠指示の制御信号を現金収納装置制御部２５から受信し、受信した信号に基づいて、扉開錠機構３２や扉施錠機構３３を制御するものである。また、入出金機制御信号制御部３０は、扉開閉状態検知機構３４による現金収納装置２６の扉の開閉状態の検知信号を扉開閉状態検知機構３４から受信し、現金収納装置２６の扉の開閉状態を現金収納装置制御部２５へ通知するものである。
【００３０】
扉機構３１は、扉開錠機構３２、扉施錠機構３３、扉開閉状態検知機構３４から構成され、扉開錠機構３２は、入出金機制御信号制御部３０からの制御信号に基づいて、現金収納装置２６の扉の開錠を行うものである。扉施錠機構３３は、入出金機制御信号制御部３０からの制御信号に基づいて、現金収納装置２６の扉の施錠を行うものである。扉開閉状態検知機構３４は、例えば、現金収納装置２６の扉の開閉を検知するセンサなどであり、現金収納装置２６の扉の開閉の状態を検知し、入出金機制御信号制御部３０へ検知を通知するものである。
【００３１】
次に、入出金機１０を実現するためのハードウェア構成の一例について図３を用いて説明する。図３に示すように、ハードウェア構成は、例えば、ＣＰＵ（Ｃｅｎｔｒａｌ Ｐｒｏｃｅｓｓｉｎｇ Ｕｎｉｔ）４１、ＲＡＭ（Ｒａｎｄｏｍ Ａｃｃｅｓｓ Ｍｅｍｏｒｙ）４２、ＨＤＤ（Ｈａｒｄ Ｄｉｓｋ Ｄｒｉｖｅ）４３、通信インタフェース４４、入出力部４５、バス４６を備えている。ＣＰＵ４１、ＲＡＭ４２、ＨＤＤ４３、通信インタフェース４４、入出力部４５は、例えば、バス４６を介して互いに接続されている。
【００３２】
ＣＰＵ４１は、バス４６を介して、ＨＤＤ４３などに格納される入出金機１０の各種処理を行うためのプログラムを読み込み、読み込んだプログラムをＲＡＭ４２に一時的に格納し、そのプログラムにしたがって各種処理を行うものであり、主として上述した主制御部２０として機能する。
【００３３】
ＲＡＭ４２には、ＣＰＵ４１に実行させるためのＯＳ（Ｏｐｅｒａｔｉｎｇ Ｓｙｓｔｅｍ）プログラムやアプリケーションプログラムの一部が一時的に格納される。また、ＲＡＭ４２には、ＣＰＵ４１による処理に必要な各種データが格納される。ＨＤＤ４３には、入出金機の各種処理を行うためのアプリケーションプログラムや、入出金機１０の処理に必要なデータなどが格納され、上述した硬貨在高管理メモリ２１、紙幣在高管理メモリ２２、現金収納装置管理メモリ２４として機能する。
【００３４】
通信インタフェース４４は、外部とデータの送受信を行うものであり、例えばＬＡＮ（Ｌｏｃａｌ Ａｒｅａ Ｎｅｔｗｏｒｋ）やＵＳＢ（Ｕｎｉｖｅｒｓａｌ Ｓｅｒｉａｌ Ｂｕｓ）などの接続形式である。入出力部４５は、データの入力を行うタッチパネルなどの入力装置や、情報の表示を行うディスプレイなどの出力装置などを有し、表示部／操作部１９として機能する。
【００３５】
バス４６は、各装置間の制御信号、データ信号などの授受を媒介する経路である。
次に、入出金機１０における各種処理について説明する。入出金機１０では、主に、初期化処理、現金装填処理、出金処理、現金収納装置精査処理が行われる。以下、それぞれの処理について説明する。
【００３６】
まず、初期化処理について図４を用いて説明する。初期化処理は、入出金機１０を最初に設置するときや、入出金機１０に異常が発生したときなどに行われる処理であって、日常的に行われる処理ではない。
【００３７】
まず、初期化処理を行う場合には、表示部／操作部１９のディスプレイ上に表示された複数のモードから初期化モードをオペレータが選択（初期化選択）する（ステップＳ４０１）。なお、表示される複数のモードには、初期化モード以外に、後述する現金装填モード、出金モード、精査処理モードなどが存在し、モード選択はオペレータによるタッチパネル操作などで行う。
【００３８】
オペレータによって初期化モードが選択されると、主制御部２０は、現金収納装置２６の紙幣収納部２８及び硬貨収納部２９内が空（エンプティ）であることを確認させるための指示（現金収納装置エンプティ確認）を表示部／操作部１９のディスプレイに表示する（ステップＳ４０２）。主制御部２０は、上記表示を行うと、現金収納装置２６の扉の開錠指示（現金収納装置開錠指示）を現金収納装置２６に対して行う（ステップＳ４０３）。
【００３９】
上記開錠指示に基づいて、現金収納装置２６の扉が開錠されると、オペレータは、現金収納装置２６の紙幣収納部２８及び硬貨収納部２９から現金を取り出す（ステップＳ４０４）。なお、現金が残存していない場合には現金を取り出すことはない。オペレータによって現金がすべて取り出される又は現金が残存していない場合には、主制御部２０は、現金収納装置２６の扉の施錠指示（現金収納装置締指示）を現金収納装置２６に対して行う（ステップＳ４０５）。
【００４０】
主制御部２０は、施錠完了したか否かを判断する（ステップＳ４０６）。具体的には、主制御部２０は、現金収納装置２６の扉機構３１による施錠完了に基づく施錠完了信号を、入出金機制御信号制御部３０から受信することによって判断する。施錠が完了した場合（ＹＥＳ）、主制御部２０は、現金収納装置管理メモリ２４に記憶されている現金収納装置２６の在高の情報をすべてゼロ（クリア）にする初期化（在高初期化）を行う（ステップＳ４０７）。なお、この初期化で在高の金種ごとに付されている“Ａ”という記号は在高計算のパラメータを意味し、後述する精査処理モードにおける在高の金種ごとに付されている“Ｋ”という記号は計数計算のパラメータを意味する。以上の処理によって、現金収納装置２６内の在高を初期化することができる。
【００４１】
次に、入出金機１０における処理のうちの現金装填処理について図５を用いて説明する。現金装填処理は、現金収納装置２６へ現金を装填するための処理であって、日常的に行われる処理であり、現金収納装置２６の紙幣収納部２８及び硬貨収納部２９の在高が減ってきたときに随時行われる処理である。現金装填処理を行う場合には、表示部／操作部１９のディスプレイ上に表示された複数のモードから現金装填モードをオペレータが選択（現金装填選択）する（ステップＳ５０１）。ここでのオペレータは、主に現金運搬担当者である。
【００４２】
オペレータによって現金装填モードが選択されると、主制御部２０は、現金収納装置２６の紙幣収納部２８及び硬貨収納部２９に装填する現金の装填量をオペレータに入力させるための入力画面（装填量入力画面）を表示部／操作部１９のディスプレイに表示する（ステップＳ５０２）。表示された装填量の入力画面に基づいて、オペレータが装填量を入力する（ステップＳ５０３）。
【００４３】
主制御部２０は、オペレータによる装填量の入力が完了すると、現金収納装置２６の扉の開錠指示（現金収納装置開錠指示）を現金収納装置２６に対して行う（ステップＳ５０４）。開錠指示に基づいて、現金収納装置２６の扉開錠機構３２が現金収納装置２６の扉を開錠すると、オペレータは現金収納装置２６の紙幣収納部２８及び硬貨収納部２９に現金を装填する（ステップＳ５０５）。現金が装填されると、主制御部２０は、現金の装填が完了したか否かをオペレータによる装填完了入力により判断する（ステップＳ５０６）。主制御部２０は、装填完了入力が表示部／操作部１９を介して行われる（ステップＳ５０７）と、現金収納装置２６の扉の施錠指示（現金収納装置締指示）を現金収納装置２６に対して行う（ステップＳ５０８）。
【００４４】
主制御部２０は、施錠完了したか否かを判断する（ステップＳ５０９）。具体的には、主制御部２０は、現金収納装置２６の扉機構３１による施錠完了に基づく施錠完了信号を、入出金機制御信号制御部３０から受信することによって判断する。施錠が完了した場合（ＹＥＳ）、主制御部２０は、現金収納装置管理メモリ２４に記憶されている現金収納装置２６の在高の情報を更新、すなわち装填された金種ごとに装填された量を加算して更新する（ステップＳ５１０）。以上の処理によって、現金収納装置２６内の現金が不足してきた場合に、現金収納装置２６の紙幣収納部２８及び硬貨収納部２９へ現金を装填することができ、主制御部２０は、現金収納装置２６の在高を管理することができる。
【００４５】
次に、入出金機１０における処理のうち出金処理について図６を用いて説明する。出金処理は、売り場での釣銭が不足した際に、補充のための釣銭を入出金機１０から出金する処理である。出金処理を行う場合には、表示部／操作部１９のディスプレイ上に表示された複数のモードから出金モードをオペレータが選択（出金選択）する（ステップＳ６０１）。出金モードを選択すると、表示部／操作部１９のディスプレイ上には、どの金種がどの程度必要であるかを入力させる入力画面が表示される。オペレータは、その入力画面にしたがって必要な金種と必要な量を入力する。ここでのオペレータは、主に売り場の店員である。
【００４６】
主制御部２０は、オペレータによる出金選択がされると、入出金機出金動作、すなわち入出金機１０による出金処理を開始する（ステップＳ６０２）。主制御部２０は、入出金機１０の硬貨・収納部１２及び紙幣・収納部１６に収納された現金を用いて、オペレータが入力した金種及び量を出金することができるか否かを判断する。具体的には、入出金機１０の硬貨・収納部１２及び紙幣・収納部１６に収納された現金を用いて、オペレータが入力した金種及び量すべてを出金することができず、出金不足が発生するか否かを判断する（ステップＳ６０３）。主制御部２０は、出金の不足が発生すると判断した場合（ＹＥＳ）、入出金機１０の硬貨・収納部１２及び紙幣・収納部１６に収納された現金で出金可能な分の出金を行う（ステップＳ６０４）。主制御部２０は、出金が行われると、硬貨・収納部１２及び紙幣・収納部１６の在高の情報を記憶する硬貨在高管理メモリ２１及び紙幣在高管理メモリ２２内の在高の情報を更新する（ステップＳ６０５）。
【００４７】
更新後に、主制御部２０は、出金された現金ではオペレータが入力した金種及び量に足りなかったことを示す不足メッセージと、入力した金種のうち足りなかった金種（不足金種）と、入力した量のうち足りなかった量（不足量）を、表示部／操作部１９のディスプレイ上に表示する（ステップＳ６０６）。主制御部２０は、必要とする金種及び量のうち、入出金機１０から出金できなかった不足分を現金収納装置２６から取り出すよう誘導するための表示を表示部／操作部１９のディスプレイ上にする（ステップＳ６０７）。
【００４８】
取り出すよう誘導するための表示がされると、主制御部２０は、現金収納装置２６の扉の開錠指示（現金収納装置開錠指示）を現金収納装置２６に対して行う（ステップＳ６０８）。開錠指示に基づいて、現金収納装置２６の扉開錠機構３２が現金収納装置２６の扉を開錠すると、オペレータは現金収納装置２６の紙幣収納部２８及び硬貨収納部２９から現金を取り出す（ステップＳ６０９）。現金を取り出すと、オペレータは、現金の取り出しが完了した旨の取出し完了入力を、表示部／操作部１９を介して行う（ステップＳ６１０）。主制御部２０は、現金収納装置２６の扉の施錠指示（現金収納装置締指示）を現金収納装置２６に対して行う（ステップＳ６１１）。
【００４９】
主制御部２０は、施錠完了したか否かを判断する（ステップＳ６１２）。具体的には、主制御部２０は、現金収納装置２６の扉機構３１による施錠完了に基づく施錠完了信号を、入出金機制御信号制御部３０から受信することによって判断する。施錠が完了した場合（ＹＥＳ）、主制御部２０は、現金収納装置管理メモリ２４に記憶されている現金収納装置２６の在高の情報を更新、すなわちステップＳ６０６において、主制御部２０が表示部／操作部１９のディスプレイ上に表示した不足量について、金種ごとに減算して更新する（ステップＳ６１３）。
【００５０】
一方、ステップＳ６０３において、主制御部２０が、出金不足が発生しないと判断した場合（ＮＯ）、入出金機１０の硬貨・収納部１２及び紙幣・収納部１６にある現金を用いて出金処理を行う（ステップＳ６１４）。出金処理後、主制御部２０は、硬貨在高管理メモリ２１及び紙幣在高管理メモリ２２に記憶された在高の情報を更新、すなわち出金された金種ごとに出金された量を減算して更新する（ステップＳ６１５）。
【００５１】
以上の処理によって、入出金機１０の硬貨・収納部１２及び紙幣・収納部１６に収納された現金ではオペレータが入力した金種及び量の出金ができない、すなわち出金不足となっても、現金収納装置２６の紙幣収納部２８及び硬貨収納部２９に収納されている現金を利用することで出金の不足分を補うことができる。
【００５２】
次に、入出金機１０における処理のうち現金収納装置精査処理について図７Ａ、図７Ｂを用いて説明する。現金収納装置精査処理は、現金収納装置２６の紙幣収納部２８及び硬貨収納部２９の在高が正しいか（現金収納装置２６の紙幣収納部２８及び硬貨収納部２９の中身が正しいか）確認するための処理であって、現金収納装置２６の紙幣収納部２８及び硬貨収納部２９に収納された金種及び量が、本来現金収納装置２６の紙幣収納部２８及び硬貨収納部２９に収納されてあるべき金種及び量であるかを確認するための処理である。
【００５３】
現金収納装置精査処理を行う場合には、表示部／操作部１９のディスプレイ上に表示された複数のモードから精査処理モードをオペレータが選択（精査処理選択）する（ステップＳ７０１）。ここでのオペレータは、主に店の管理責任者である。精査処理モードが選択されると、主制御部２０は、現金収納装置２６内の現金を計数するために、まず、金種ごとの在高をゼロにする初期化（計数結果の初期化）を行う（ステップＳ７０２）。
【００５４】
計数結果の初期化を行うと、主制御部２０は、現金収納装置２６の扉の開錠指示（現金収納装置開錠指示）を現金収納装置２６に対して行う（ステップＳ７０３）。開錠指示に基づいて、現金収納装置２６の扉が開錠されると、オペレータは現金収納装置２６の紙幣収納部２８及び硬貨収納部２９の現金をすべて取り出す（ステップＳ７０４）。オペレータによって現金が取り出され、オペレータによって入出金機１０の硬貨・入金部１１及び紙幣・入金部１５に取り出された現金が投入されると、硬貨・入金部１１及び紙幣・入金部１５によって投入された現金の計数が行われる（ステップＳ７０５）。なお、取り出したすべての現金を一回の投入で計数できない場合には、複数回にわたって現金が投入されることになるため、すべての現金の投入及び計数が完了した時点で、すべての現金が投入されて計数が完了した旨の入力（全計数完了入力）をオペレータが行う（ステップＳ７０６）。
【００５５】
図７Ｂに示すように、投入された現金の計数がされると、主制御部２０は、初期化された計数結果に、計数された結果を金種ごとに加算する（ステップＳ７０７）。計数された結果の加算後に、主制御部２０は、現金収納装置２６の扉の施錠指示（現金収納装置締指示）を現金収納装置２６に対して行う（ステップＳ７０８）。
【００５６】
主制御部２０は、施錠完了したか否かを判断する（ステップＳ７０９）。具体的には、主制御部２０は、現金収納装置２６の扉機構３１による施錠完了に基づく施錠完了信号を、入出金機制御信号制御部３０から受信することによって判断する。施錠が完了した場合（ＹＥＳ）、主制御部２０は、現金収納装置管理メモリ２４に記憶されている現金収納装置２６の在高の値（在高理論値）と、計数された計数値とが合っているか（差異がないか）否かを判断する（ステップＳ７１０）。ここでの値が合っているか否かの判断は、現金収納装置２６の在高の金種ごとの値と、計数値の金種ごとの値とがそれぞれ合っているか否かの判断である。
【００５７】
在高理論値と計数値とが合っている（金種ごとの値がそれぞれ合っている）と判断する（ＹＥＳ）と、主制御部２０は、現金収納装置２６に収納されているすべての現金が計数のために取り出されているため、現金収納装置管理メモリ２４に記憶される現金収納装置２６の在高をゼロとする初期化（在高初期化）を行う（ステップＳ７１１）。初期化後には、主制御部２０は、現金収納装置２６の在高が正しい状態、すなわち現金収納装置２６に収納された金種及び量が、本来現金収納装置２６に収納されてあるべき金種及び量に等しい正常状態を示す表示を表示部／操作部１９のディスプレイ上にする（ステップＳ７１２）。
【００５８】
一方、ステップＳ７１０において、在高理論値と計数値とが合っていない（金種ごとの値が１つでも合っていない）と判断する（ＮＯ）と、この場合も、現金収納装置２６に収納されているすべての現金が計数のために取り出されているため、主制御部２０は、現金収納装置管理メモリ２４に記憶される現金収納装置２６の在高をゼロとする初期化（在高初期化）を行う（ステップＳ７１３）。初期化後に、主制御部２０は、現金収納装置２６の在高が正しくない状態、すなわち現金収納装置２６に収納された金種及び量が、本来現金収納装置２６に収納されてあるべき金種及び量に等しくない違算状態を示す違算状態表示の画面を表示部／操作部１９のディスプレイ上に表示する（ステップＳ７１４）。
【００５９】
このとき、違算状態表示画面には、不足金額（在高理論値が計数値よりも大きい場合）や過剰金額（在高理論値が計数値より小さい場合）などが表示される。また、違算状態表示画面に表示された取引履歴への切替アイコン（後述する画面切替アイコン８２）を選択すると現金収納装置２６の取引履歴の画面が表示され、さらに取引履歴の表示画面に表示された詳細表示への切替アイコン（後述する詳細表示アイコン８５）を選択すると取引履歴の詳細の画面が表示される。
【００６０】
以上の処理によって、現金収納装置２６の紙幣収納部２８及び硬貨収納部２９の在高が正しいか（現金収納装置２６の紙幣収納部２８及び硬貨収納部２９の中身が正しいか）確認することができる。
【００６１】
ここで、上述した違算状態表示画面の一例、現金収納装置２６の取引履歴の表示画面の一例、取引履歴の詳細表示画面の一例について図８Ａから図８Ｃを用いて説明する。
【００６２】
まず、違算状態表示画面の一例について図８Ａを用いて説明する。違算状態表示は、在高理論値と計数値が合っていない場合に表示部／操作部１９のディスプレイに表示されるものである。図８Ａに示す違算状態表示画面８０は、在高（理論値）と計数結果に差異が発生した旨を表示しており、在高理論値が１，２２５，０００円で、計数値が１，２０５，０００円で、差額が−２０，０００円である場合の違算状態表示の画面である。この違算状態表示画面８０では、金種ごとに、精査時在高、追加装填合計、出金合計、在高（理論値）、計数金額、差額がそれぞれ表示されている。また、違算状態表示画面８０では、メニューアイコン８１、画面切替アイコン８２も表示されている。
【００６３】
精査時在高は、前回の精査処理時の在高を示しており、追加装填合計は、前回と今回の精査処理の間に追加して装填された額を示しており、出金合計は、前回と今回の精査処理の間に出金された額を示している。また、在高（理論値）は、現金収納装置２６に理論的にあるはずの額を示しており、精査時在高と追加装填合計を合わせた額から出金合計を差し引いた額を示している。すなわち、万券の場合、精査時在高１００，０００円と追加装填合計５０，０００円を合わせた額１５０，０００円から、出金合計０円を差し引いた額が、在高（理論値）１５０，０００円となる。
【００６４】
計数金額は、今回の精査処理の際に、現金収納装置２６内の現金を入出金機１０によって計数した結果を示している。また、差額は、在高（理論値）から計数金額を差し引いた額を示している。
【００６５】
例えば、万券の場合、精査時在高が１００，０００円で、追加装填合計が５０，０００円で、出金合計が０円であるため、在高（理論値）は１５０，０００円となり、計数された結果の計数金額が１５０，０００円の場合、差額は０円となる。一方、５千券の場合、精査時在高が１，０００，０００円で、追加装填合計が１００，０００円で、出金合計が５０，０００円であるため、在高（理論値）は１，０５０，０００円となり、計数された結果の計数金額が１，０３０，０００円の場合、差額は−２０，０００円となる。
【００６６】
このことから、万券に関しては、差額が０円で違算は生じていない（正常状態である）が、５千券に関しては、差額が−２０，０００円で違算が生じている。このように、それぞれの金種について差額を計算して、１つの金種でも違算が生じていれば、図８Ａに示すような違算状態表示画面８０が表示部／操作部１９のディスプレイに表示される。
【００６７】
また、メニューアイコン８１は、入出金機１０の初期画面（例えば、上述したモードの選択のための画面）を表示部／操作部１９のディスプレイ上に表示させるために設けられたアイコンである。オペレータによってメニューアイコン８１が選択されることによって、モード選択の表示画面へ表示が切り替わる。また、画面切替アイコン８２は、違算状態表示画面８０から取引履歴の表示画面に切り替えるために設けられたアイコンである。オペレータによって画面切替アイコン８２が選択されることによって、取引履歴の表示画面へ表示が切り替わる。
【００６８】
次に、現金収納装置２６の取引履歴の表示画面の一例について図８Ｂを用いて説明する。取引履歴表示画面８３は、上述した違算状態表示画面８０の画面切替アイコン８２がオペレータによって選択された場合に表示される画面である。取引履歴表示画面８３では、日付／時刻、操作者、取引種別、処理金額、在高（理論値）がそれぞれ表示されている。また、取引履歴表示画面８３では、画面切替アイコン８４、詳細表示アイコン８５も表示されている。
【００６９】
日付／時刻は、入出金機１０を操作した日付及び時刻を示しており、操作者は、入出金機１０を操作したオペレータを示しており、取引種別は、どのような処理を入出金機１０で行ったかを示しており、処理金額は、取引で処理された額を示しており、在高（理論値）は、現金収納装置２６に理論的にあるはずの額を示している。
【００７０】
例えば、日付／時刻が２０１５年１月１５日の９時１０分の入出金機１０の操作では、００１３という操作者ＩＤを割り振られたオペレータが操作をしている。操作者ＩＤが００１３のオペレータは、精査という取引を行っており、精査による処理金額が１，５００，０００円であり、在高（理論値）は１，５００，０００円となっている。また、日付／時刻が２０１５年１月１６日の１０時１２分の入出金機１０の操作では、操作者ＩＤが０００２のオペレータが、出金という取引を行っており、出金額が５００，０００円である。このときの在高（理論値）は、今回の処理前に在高（理論値）が１，５００，０００円であったため、１，５００，０００円から今回の出金分５００，０００円を差し引いた１，０００，０００円となる。
【００７１】
また、日付／時刻が２０１５年１月１７日の１１時３５分の入出金機１０の操作では、操作者ＩＤが００１８のオペレータが、現金装填という取引を行っており、装填額が１，０００，０００円である。このときの在高（理論値）は、今回の処理前に在高（理論値）が１，０００，０００円であったため、１，０００，０００円に今回の現金装填分１，０００，０００円を加算した２，０００，０００円となる。また、日付／時刻が２０１５年２月１０日の１０時００分の入出金機１０の操作では、操作者ＩＤが０００７のオペレータが、計数という取引を行っており、計数額が２００，０００円である。今回の取引は計数であり、在高（理論値）に変わりはないため、このときの在高（理論値）は、前回の在高（理論値）と同じ値となる。
【００７２】
このように、取引履歴表示画面８３ではすべての取引が取引履歴として表示される。
また、画面切替アイコン８４は、上述した違算状態表示画面８０へ切り替えるために設けられたアイコンである。オペレータによって画面切替アイコン８４が選択されることによって、違算状態表示画面８０へ表示が切り替わる。また、詳細表示アイコン８５は、取引履歴表示画面８３から取引履歴の詳細表示の画面に切り替えるために設けられたアイコンである。オペレータによって詳細表示アイコン８５が選択されることによって、取引履歴の詳細表示画面へ表示が切り替わる。
【００７３】
次に、取引履歴の詳細表示画面の一例について図８Ｃを用いて説明する。取引履歴詳細表示画面８６は、上述した取引履歴表示画面８３の詳細表示アイコン８５がオペレータによって選択された場合に表示される画面である。取引履歴詳細表示画面８６では、取引履歴表示画面８３に表示された取引の中から選択された取引の日付／時刻、操作者、取引種別、処理金額、在高（理論値）と、選択された取引の金種ごとの処理金額及び在高（理論値）が表示されている。また、取引履歴詳細表示画面８６では、取引履歴表示画面８３へ画面を切り替えるための戻るアイコン８７も表示されている。
【００７４】
図８Ｃに示す取引履歴詳細表示画面８６では、図８Ｂに示す取引履歴表示画面８３に示された２０１５年１月１６日の１０時１２分に操作者ＩＤが０００２のオペレータによって行われた出金処理についての詳細が表示されている。この出金処理は、処理金額が５００，０００円であり、在高（理論値）が１，０００，０００円である。
【００７５】
処理金額５００，０００円の内訳が金種ごとに表示され、その内訳は、万券が１０枚で１００、０００円、５千券が６０枚で３００，０００円、千券が１００枚で１００，０００円である。
【００７６】
また、在高（理論値）についても、内訳が金種ごとに表示されており、在高（理論値）１，０００，０００円の内訳は、万券が３０枚で３００，０００円、５千券が１００枚で５００，０００円、千券が１５０枚で１５０，０００円、５００円硬貨が１００枚で５０，０００円である。
【００７７】
このように、金種ごとの詳細な取引履歴を見ることができることによって、どのような金種がどの程度取り引きされたか、またどの種類の金種が不足しているかなどを把握することができる。
【００７８】
上述したような入出金機１０によれば、現金収納装置２６を付属させたことにより、入出金機を増設することによる多大な負担を掛けることなく釣銭不足を補うことができる。また、ＣＰＵなどの複雑な構成を必要としないシンプルな構成とした現金収納装置２６と接続可能としているため、入出金機１０で現金収納装置２６を容易に管理することができ、コストも抑えることができる。
【００７９】
なお、上述した実施の形態では、入出金機１０の主な処理をＣＰＵによるソフトウェア処理によって実行するものとして説明したが、この処理の全部又は一部をハードウェアによって実現するようにしてもよい。
【００８０】
また、上述した実施の形態は、上述したものに限定されるものではなく、実施の形態の要旨を逸脱しない範囲において種々の変更を加えることができる。
【符号の説明】
【００８１】
１０  入出金機
１１  硬貨・入金部
１２  硬貨・収納部
１３  硬貨リジェクト収納部
１４  硬貨・出金部
１５  紙幣・入金部
１６  紙幣・収納部
１７  紙幣リジェクト収納部
１８  紙幣・出金部
１９  表示部／操作部
２０  主制御部
２１  硬貨在高管理メモリ
２２  紙幣在高管理メモリ
２３  上位機通信部
２４  現金収納装置管理メモリ
２５  現金収納装置制御部
２６  現金収納装置
２７  上位機
２８  紙幣収納部
２９  硬貨収納部
３０  入出金機制御信号制御部
３１  扉機構
３２  扉開錠機構
３３  扉施錠機構
３４  扉開閉状態検知機構
４１  ＣＰＵ
４２  ＲＡＭ
４３  ＨＤＤ
４４  通信インタフェース
４５  入出力部
４６  バス
８０  違算状態表示画面
８１  メニューアイコン
８２  画面切替アイコン
８３  取引履歴表示画面
８４  画面切替アイコン
８５  詳細表示アイコン
８６  取引履歴詳細表示画面
８７  戻るアイコン
【図１】
0006383308.tif 000002
【図２】
0006383308.tif 000003
【図３】
0006383308.tif 000004
【図４】
0006383308.tif 000005
【図５】
0006383308.tif 000006
【図６】
0006383308.tif 000007
【図７Ａ】
0006383308.tif 000008
【図７Ｂ】
0006383308.tif 000009
【図８Ａ】
0006383308.tif 000010
【図８Ｂ】
0006383308.tif 000011
【図８Ｃ】
0006383308.tif 000012